(57)【要約】      （修正有）【課題】本物の髪のように見え、しかも本物の髪のように感じられ、さらに、物理的及び化学的摩耗に対して相対的に耐性がある改良人工毛髪又は人形の毛髪を提供すること。【解決手段】主として、好ましくはモノフィラメントの形状の、被覆（３）を備えた合成材料支持体（２）から成る改良人工毛髪又は人形の毛髪であって、前記被覆（３）が、少なくともジイソシアン酸塩及びジオールのポリマーを含むことを特徴とする改良人工毛髪又は人形の毛髪である。【選択図】図１
2006241665.tif 000002
【特許請求の範囲】
【請求項１】
主として、好ましくはモノフィラメントの形状の、被覆（３）を備えた合成材料支持体（２）から成る改良人工毛髪又は人形の毛髪であって、前記被覆（３）が、少なくともジイソシアン酸塩及びジオールのポリマーを含むことを特徴とする改良人工毛髪又は人形の毛髪。
【請求項２】
当該ジイソシアン酸塩が、脂肪族ジイソシアン酸塩であることを特徴とする請求項１に記載の改良人工毛髪又は人形の毛髪。
【請求項３】
当該被覆（３）が、主にポリウレタンから成ることを特徴とする請求項１又は２に記載の改良人工毛髪又は人形の毛髪。
【請求項４】
当該被覆（３）が、主に１−成分ポリウレタン又は２−成分ポリウレタンから成ることを特徴とする請求項３に記載の改良人工毛髪又は人形の毛髪。
【請求項５】
当該ポリウレタンが、化学ポリウレタン又はビスコースポリウレタンであることを特徴とする請求項４に記載の改良人工毛髪又は人形の毛髪。
【請求項６】
当該合成材料支持体（２）が、ポリエステル製であることを特徴とする請求項１に記載の改良人工毛髪又は人形の毛髪。
【請求項７】
当該合成材料支持体（２）が、ポリエチレンテレフタレート（ＰＥＴＰ）から成ることを特徴とする請求項６に記載の改良人工毛髪又は人形の毛髪。
【請求項８】
当該合成材料支持体（２）が、ポリアミドから成ることを特徴とする請求項１に記載の改良人工毛髪又は人形の毛髪。
【請求項９】
当該合成材料支持体（２）が、ファンシー・アクリルから成ることを特徴とする請求項１に記載の改良人工毛髪又は人形の毛髪。
【請求項１０】
人工毛髪（１）の太さが1/10〜4/100 mmの範囲にあることを特徴とする請求項１に記載の改良人工毛髪又は人形の毛髪。
【請求項１１】
エーロゲル粒子が被覆内に分布していることを特徴とする請求項１に記載の改良人工毛髪又は人形の毛髪。
【請求項１２】
好ましくはモノフィラメントの形状の合成材料支持体（２）が、少なくとも一回は被覆（３）を施され、前記被覆が、少なくともジイソシアン酸塩及びジオールのポリマーを含むことを特徴とする請求項１から１１までのいずれか１つに記載の改良人工毛髪又は人形の毛髪を製造する方法。
【請求項１３】
当該合成材料支持体（２）が、複数回被覆（３）を施され、前記被覆が、少なくともジイソシアン酸塩及びジオールのポリマーを含むことを特徴とする請求項１２に記載の方法。
【請求項１４】
エーロゲル粒子が被覆（３）内に分布していることを特徴とする請求項１２に記載の方法。
【発明の詳細な説明】
【技術分野】
【０００１】
本発明は、改良人工毛髪又は人形の毛髪に関する。
【背景技術】
【０００２】
周知のように、一般に人工毛髪は本物の髪のように見えず、また本物の髪のように感じられず、そのため、人工毛髪は自然な印象を与えず、人がそのような人工毛髪製のかつらを着けていると人の目を引くことが多い。
【０００３】
周知の人口毛髪のもう１つの欠点は、物理的にも化学的にも磨耗しやすく、その結果、前記人口毛髪は本物の髪に比べて限られた寿命を有することである。
【発明の開示】
【発明が解決しようとする課題】
【０００４】
本発明の目的は、本物の髪のように見え、しかも本物の髪のように感じられ、さらに、物理的及び化学的磨耗に対して相対的に耐性がある改良人工毛髪又は人形の毛髪を提供することによって、前記およびその他の欠点を改善することである。
【課題を解決するための手段】
【０００５】
前記目的のために、本発明は、主として、好ましくはモノフィラメント(a monofilament)の形状の、少なくともジイソシアン酸塩(diisocyanate)及びジオール(diol)のポリマーを含む被覆を備えた、合成材料支持体(a synthetic support)から成る改良人工毛髪又は人形の毛髪に関する。
【０００６】
また、本発明のもう１つの目的は、上述の、好ましくはモノフィラメントの形状の合成材料支持体が、少なくともジイソシアン酸塩及びジオールのポリマーを含む被覆を少なくとも一回は施される、改良人工毛髪又は人形の毛髪を製造する方法を提供することである。
【発明を実施するための最良の形態】
【０００７】
以下、本発明の特徴をさらに十分に説明するために、単なる例である、本発明による改良人工毛髪又は人形の毛髪の好ましい実施形態について、添付の図面を参照しつつ説明する。
【０００８】
本発明による改良人工毛髪１又は人形の毛髪は、主として、好ましくは円形の断面を有するモノフィラメントの形状の、被覆３を備えた合成材料支持体２から成る。
【０００９】
前記合成材料支持体2は、好ましくは、ポリエチレンテレフタレート（ＰＥＴＰ）といったポリエステル製であり、又は、ポリアミド又はいわゆるファンシー・アクリル(fancy acryl)製である。
【００１０】
本発明による前記被覆3は、ジイソシアン酸塩及びジオールを基材とするポリマーである、ポリウレタンを基材として作られている。
【００１１】
前記ポリウレタンは、いわゆる１−成分ポリウレタン(1-component polyurethane)、又は２−成分ポリウレタン(2-component polyurethane)でもよく、特に、架橋結合性の構造(a cross-linked structure)を形成する為に互いに結合された２つの異なるポリマーから成るポリウレタンでもよい。
【００１２】
どちらの場合も、前記ポリウレタンは、例えば脂肪族ジイソシアン酸塩を基材として形成され、好ましくは疎水性である。
【００１３】
２−成分ポリウレタンの場合、両方の成分は、好ましくは、イソシアン酸塩及び／又は樹脂、例えばメラミン樹脂により、架橋結合可能な型の成分である。
【００１４】
図３は、本発明による改良人工毛髪1又は人形の毛髪の変形を示し、この場合、断面は楕円形である。
【００１５】
図４は、本発明による改良人工毛髪又は人形の毛髪のもう一つの実施態様を示し、この場合、断面はいわゆる“二円眼鏡形(double round glass shape)”である。
【００１６】
明らかに、本発明による改良人工毛髪1又は人形の毛髪の断面は、これらの図に示す形状のみに限定されるものではない。
【００１７】
この改良人工毛髪1又は人形の毛髪の太さは、好ましくは、1/10〜4/100 mmの範囲にある。
【００１８】
被覆３内には、好ましくは、二酸化珪素から成る小さなエーロゲル粒子(small aerogel particles)が分布していることにも注意されたい。
【００１９】
使用されるエーロゲル粒子は、例えば、ナノゲルという商品名の下で市販されているものである。
【００２０】
前記エーロゲル粒子は、人工毛髪１又は人形の毛髪に永続的な光沢の無い輝きを与え、それにより、非常にきらきら光って見えることで知られているポリエステル又はポリアミド又はファンシー・アクリル製の合成材料支持体２の使用に対する解決法を提供する点で有利である。
【００２１】
前記エーロゲル粒子の使用のもう１つの利点は、前記エーロゲル粒子は不燃性であり、また撥水性があることであり、そのことは、前記合成材料支持体２が、周知のように吸水の結果すぐに膨張するポリアミド製である場合に有利である。
【００２２】
また、本発明は、モノフィラメントの形状の合成材料支持体２が、化学ポリウレタン又はビスコースポリウレタンを基材とする液体被覆を、少なくとも１回そして好ましくは複数回施される、本発明による改良人工毛髪１又は人形の毛髪を製造する方法に関する。
【００２３】
この被覆は、合成材料支持体２を、被覆材料の溶液内を通して引っ張ることによって実施される。
【００２４】
被覆の後、好ましくは使用されたポリウレタンの種類に必要な乾燥時間に基づいて、乾燥時間が与えられる。
【００２５】
合成材料支持体２が作られる材料は、前記ポリアミド又はファンシー・アクリルに限定されるものではなく、本発明の範囲を逸脱することなく、他の材料を用いることもできることは明らかである。
【００２６】
合成材料支持体２が作られる材料の例は、例えば、ポリアミド６、ポリアミド６．６、ポリアミド１１、ポリアミド１２、ファンシー・アクリル、ポリアセテート（ＰＯＭ）、フッ化ビニリデン樹脂（ＰＶＤＰ）、及び／又は、上述の物質の１つ又は複数の組み合わせである。
【００２７】
本発明は、決して、例として説明し、添付の図面に示した実施形態に限定されるものではなく、逆に、そのような本発明による改良人工毛髪又は人形の毛髪は、本発明の範囲を逸脱することなく、あらゆる種類の形状と寸法とで作ることができる。
【図面の簡単な説明】
【００２８】
【図１】本発明による改良人工毛髪又は人形の毛髪の縦断面図である。
【図２】図１の線II−IIに沿う断面の拡大図である。
【図３】図２の改良人工毛髪又は人形の毛髪の変形を示す。
【図４】図２の改良人工毛髪又は人形の毛髪の変形を示す。
【符号の説明】
【００２９】
1  改良人工毛髪
2  合成材料支持体
3  被覆
【図１】
2006241665.tif 000003
【図２】
2006241665.tif 000004
【図３】
2006241665.tif 000005
【図４】
2006241665.tif 000006